(57)【特許請求の範囲】
【請求項１】
空気を加熱する加熱手段と、前記加熱手段で加熱した空気を暖房対象空間へ吹き出させる空気流動手段と、動作を制御する暖房側制御手段とを備え、
前記暖房側制御手段は、前記暖房対象空間の温度が目標温度に近付くように前記加熱手段の動作を制御する暖房装置であって、
使用者が所持する予め登録された携帯通信端末との間で近距離無線通信規格の型式による無線通信により情報の送受信を行うことができる暖房側通信手段を備え、
前記暖房側制御手段は、
前記暖房側通信手段が前記携帯通信端末から設定単位時間が経過する毎に送信される情報である取得要求通信を受信しない状態が第１設定期間継続すると、前記目標温度を使用者が設定している使用者設定温度よりも低い第１温度に低下させる第１低下処理を実行し、
前記暖房側通信手段が前記携帯通信端末から送信される前記取得要求通信を受信しない状態が前記第１設定期間よりも長い第２設定期間継続すると、前記目標温度を前記第１温度よりも低い第２温度に低下させる又は前記加熱手段の加熱作動を停止させる第２低下処理を実行し、
前記携帯通信端末は、前記取得要求通信を受信すると前記暖房側通信手段から送信される情報である運転状況データを受信しない状態が第１設定期間継続すると、前記携帯通信端末の表示部に前記第１低下処理に伴う暖房装置の運転状態を示す表示を行い、前記暖房側通信手段から送信される情報である前記運転状況データを受信しない状態が前記第１設定期間よりも長い第２設定期間継続すると、前記携帯通信端末の表示部に前記第２低下処理に伴う前記暖房装置の運転状態を示す表示を行い、
前記暖房対象空間での人の存否を検出する存否検出手段を備え、
前記暖房側制御手段は、前記存否検出手段が人の存在を検出している間は、前記第１低下処理及び前記第２低下処理を実行しない暖房装置。
【請求項２】
前記暖房側制御手段は、前記第１低下処理を実行した後、前記第２低下処理を実行するまでの間に、前記暖房側通信手段が前記携帯通信端末から情報を受信すると、前記目標温度を前記使用者設定温度に戻す復帰処理を実行する請求項１に記載の暖房装置。
【請求項３】
前記暖房側通信手段が複数台の前記携帯通信端末との間で情報の送受信を行っているとき、
前記暖房側制御手段は、前記暖房側通信手段が全ての前記携帯通信端末から情報を受信しない状態が前記第１設定期間継続すると前記第１低下処理を実行し、
前記暖房側通信手段が全ての前記携帯通信端末から情報を受信しない状態が前記第２設定期間継続すると前記第２低下処理を実行する請求項１に記載の暖房装置。
【請求項４】
前記暖房側制御手段は、前記第１低下処理を実行した後、前記第２低下処理を実行するまでの間に、前記暖房側通信手段が少なくとも１台の前記携帯通信端末から情報を受信すると、前記目標温度を前記使用者設定温度に戻す復帰処理を実行する請求項３に記載の暖房装置。
【請求項５】
前記暖房側通信手段が前記携帯通信端末から前記第１設定期間及び前記第２設定期間を受付可能に構成されている請求項１〜４のいずれか１項に記載の暖房装置。
【請求項６】
前記暖房側制御手段が、前記第１低下処理及び前記第２低下処理を実行可能な低下処理実行モードと、前記暖房側通信手段が前記携帯通信端末から情報を受信しない状態が継続しても前記第１低下処理及び前記第２低下処理を実行しない低下処理停止モードとに切り換え自在に構成されている請求項１〜５のいずれか１項に記載の暖房装置。
【発明の詳細な説明】
【技術分野】
【０００１】
本発明は、加熱手段で加熱した空気を暖房対象空間へ吹き出して暖房対象空間の暖房を行う暖房装置に関する。
【背景技術】
【０００２】
従来の暖房装置は、使用者による運転に関する指示を受け付ける運転操作受付部に、暖房運転の開始及び停止を指令する運転スイッチが備えられ、使用者が、運転スイッチを操作して暖房運転を開始するとともに、再度、運転スイッチを操作することで暖房運転を停止させるようになっていた（例えば、特許文献１参照）。
【先行技術文献】
【特許文献】
【０００３】
【特許文献１】特開２０１６−１１８００号公報
【発明の概要】
【発明が解決しようとする課題】
【０００４】
暖房装置により暖房運転を行ってるときに、使用者が暖房対象空間から退出して長い時間にわたって暖房対象空間から離れることがある。しかし、従来構成では、運転スイッチを操作することで暖房運転を停止させる必要があるが、使用者が運転スイッチの操作を忘れると、暖房対象空間に人がいないにもかかわらず、長時間にわたって使用者が居たときと同じ状態で暖房装置が運転を行うことになり、燃料の無駄使いになるおそれがある。
【０００５】
本発明の目的は、使用者が運転停止操作を行わずに暖房対象空間から離れた場合であっても、燃料の無駄使いを抑制することが可能な暖房装置を提供する点にある。
【課題を解決するための手段】
【０００６】
本発明に係る暖房装置の特徴構成は、
空気を加熱する加熱手段と、前記加熱手段で加熱した空気を暖房対象空間へ吹き出させる空気流動手段と、動作を制御する暖房側制御手段とを備え、
前記暖房側制御手段は、前記暖房対象空間の温度が目標温度に近付くように前記加熱手段の動作を制御する暖房装置であって、
使用者が所持する予め登録された携帯通信端末との間で近距離無線通信規格の型式による無線通信により情報の送受信を行うことができる暖房側通信手段を備え、
前記暖房側制御手段は、
前記暖房側通信手段が前記携帯通信端末から設定単位時間が経過する毎に送信される情報である取得要求通信を受信しない状態が第１設定期間継続すると、前記目標温度を使用者が設定している使用者設定温度よりも低い第１温度に低下させる第１低下処理を実行し、
前記暖房側通信手段が前記携帯通信端末から送信される前記取得要求通信を受信しない状態が前記第１設定期間よりも長い第２設定期間継続すると、前記目標温度を前記第１温度よりも低い第２温度に低下させる又は前記加熱手段の加熱作動を停止させる第２低下処理を実行し、
前記携帯通信端末は、前記取得要求通信を受信すると前記暖房側通信手段から送信される情報である運転状況データを受信しない状態が第１設定期間継続すると、前記携帯通信端末の表示部に前記第１低下処理に伴う暖房装置の運転状態を示す表示を行い、前記暖房側通信手段から送信される情報である前記運転状況データを受信しない状態が前記第１設定期間よりも長い第２設定期間継続すると、前記携帯通信端末の表示部に前記第２低下処理に伴う前記暖房装置の運転状態を示す表示を行い、
前記暖房対象空間での人の存否を検出する存否検出手段を備え、
前記暖房側制御手段は、前記存否検出手段が人の存在を検出している間は、前記第１低下処理及び前記第２低下処理を実行しない点にある。
【０００７】
本発明によれば、暖房側通信手段が携帯通信端末から情報を受信していれば、暖房側制御手段は、暖房対象空間の温度が目標温度に近付くように加熱手段の動作を制御する通常の運転制御を実行する。そして、暖房側通信手段が携帯通信端末から情報を受信しなくなり、その状態が第１設定期間継続すると、暖房側通信手段は、第１低下処理を実行する。すなわち、目標温度をそれまで設定されていた使用者設定温度よりも低い第１温度に低下させて、加熱手段の動作を制御する。
【０００８】
暖房側通信手段が携帯通信端末から情報を受信しない状態がさらに継続して、第２設定期間継続すると、第２低下処理を実行する。すなわち、目標温度を第１温度よりも低い第２温度に低下させて加熱手段の動作を制御するか、又は、加熱手段の加熱作動を停止させる。
【０００９】
携帯通信端末は使用者が所持しているので、暖房側通信手段が携帯通信端末から情報を受信する状態というのは、使用者が暖房対象空間に居る状態であり、暖房側通信手段が携帯通信端末から情報を受信しない状態というのは、使用者が暖房対象空間から退出して離れている状態である。
【００１０】
使用者が暖房対象空間に居るときは、使用者が希望する目標温度になるように暖房運転が行われるが、使用者が暖房対象空間から退出して第１設定期間以上にわたって暖房対象空間から離れる場合には、目標温度を低くして無駄な燃料消費を抑制する。そして、使用者が暖房対象空間から退出して第２設定期間以上にわたる長い時間にわたって暖房対象空間から離れていれば、さらに、目標温度を低下させるか、又は、燃焼を停止させることで、燃料消費をさらに抑制するのである。このとき、使用者は運転の停止を指令するための特別な操作を行う必要がない。
【００１１】
従って、使用者が運転停止操作を行わずに暖房対象空間から離れた場合であっても、燃料の無駄使いを抑制することが可能な暖房装置を提供できるに至った。
使用者が携帯通信端末を所持しない状態で暖房対象空間に居る場合、あるいは、暖房対象空間に居る複数の使用者のうちでいずれかの使用者が携帯通信端末を所持していないときに、その携帯通信端末を所持していない使用者だけが暖房対象空間に居る場合等においては、暖房側通信手段が携帯通信端末から情報を受信しない状態が長く続くことがある。
しかし、本構成によれば、このように暖房対象空間に人が居るにもかかわらず、暖房側通信手段が携帯通信端末から情報を受信しない場合には、存否検出手段が人の存在を検出すると、暖房側制御手段は、第１低下処理及び第２低下処理を実行しない。
携帯通信端末との通信を利用して、暖房対象空間に人がいないときには、無駄な燃料の消費を抑制できるものでありながら、暖房対象空間に人が居る場合に、誤って、目標温度を使用者設定温度よりも低い温度に低下させたり、加熱手段の加熱作動を停止させる等の不利を回避して、所望の暖房運転を行うことができる。
【００１２】
本発明の別の特徴構成は、前記暖房側制御手段は、前記第１低下処理を実行した後、前記第２低下処理を実行するまでの間に、前記暖房側通信手段が前記携帯通信端末から情報を受信すると、前記目標温度を前記使用者設定温度に戻す復帰処理を実行する点にある。
【００１３】
本構成によれば、使用者が、一旦、暖房対象空間から退出しても、その後、第２設定期間を越えないうちに、暖房対象空間に戻ってきた場合には、目標温度を使用者設定温度に戻すことで、手動で目標温度を再設定する等の煩わしさなく、所望の暖房運転を行える。
【００１４】
本発明の更に別の特徴構成は、前記暖房側通信手段が複数台の前記携帯通信端末との間で情報の送受信を行っているとき、
前記暖房側制御手段は、前記暖房側通信手段が全ての前記携帯通信端末から情報を受信しない状態が前記第１設定期間継続すると前記第１低下処理を実行し、
前記暖房側通信手段が全ての前記携帯通信端末から情報を受信しない状態が前記第２設定期間継続すると前記第２低下処理を実行する点にある。
【００１５】
本構成によれば、暖房対象空間に複数の使用者が居る場合、その複数の使用者の夫々が携帯通信端末を所持しており、各携帯通信端末は各別に暖房側通信手段との間で通信を行う。そして、それら全ての携帯通信端末から情報を受信しないときに、上述した第１低下処理や第２低下処理を実行するのである。
【００１６】
従って、暖房対象空間に確実に人がいない状態において、燃料消費量を抑制するための第１低下処理や第２低下処理を実行することにより、燃料が無駄に消費されることを回避することができる。
【００１７】
本発明の更に別の特徴構成は、前記暖房側制御手段は、前記第１低下処理を実行した後、前記第２低下処理を実行するまでの間に、前記暖房側通信手段が少なくとも１台の前記携帯通信端末から情報を受信すると、前記目標温度を前記使用者設定温度に戻す復帰処理を実行する点にある。
【００１８】
本構成によれば、複数の使用者の全てが暖房対象空間から退出しても、その後、第２設定期間を越えないうちに、少なくとも１人の使用者が暖房対象空間に戻ってきた場合には、目標温度を使用者設定温度に戻すことで、手動で目標温度を再設定する等の煩わしさなく、所望の暖房運転を行える。
【００１９】
本発明の更に別の特徴構成は、前記暖房側通信手段が前記携帯通信端末から前記第１設定期間及び前記第２設定期間を受付可能に構成されている点にある。
【００２０】
本構成によれば、携帯通信端末から第１設定期間及び第２設定期間を変更させる指令を通信すると、暖房側通信手段がそのことを受付可能であり、その指令に基づいて第１設定期間及び第２設定期間を変更設定することができる。
【００２１】
使用者は、自分が所持している携帯通信端末を利用して変更を指令することができるので、使い勝手がよいものとなる。
【００２６】
本発明の更に別の特徴構成は、前記暖房側制御手段が、前記第１低下処理及び前記第２低下処理を実行可能な低下処理実行モードと、前記暖房側通信手段が前記携帯通信端末から情報を受信しない状態が継続しても前記第１低下処理及び前記第２低下処理を実行しない低下処理停止モードとに切り換え自在に構成されている点にある。
【００２７】
本構成によれば、暖房側制御手段を低下処理実行モードに切り換えておくと、上述した第１低下処理や第２低下処理を実行するので、燃料が無駄に消費されることを回避することができる。一方、暖房側制御手段を低下処理停止モードに切り換えておくと、暖房側通信手段が携帯通信端末から情報を受信しない状態が第１設定期間あるいは第２設定時間以上継続しても、第１低下処理や第２低下処理を実行せず、目標温度を使用者が設定している使用者設定温度に維持することができる。
【００２８】
例えば、暖房対象空間に複数の使用者が存在しており、そのうちのいずれかが携帯通信端末を所持していない場合には、暖房側制御手段を低下処理停止モードに切り換えておくことで、携帯通信端末を所持している使用者が暖房対象空間から離れても、所望の運転状態をそのまま維持することができる。
【図面の簡単な説明】
【００２９】
【図１】温風暖房装置の主要な構成部品の配置状態を示す正面図である。
【図２】温風暖房装置の縦断断面図である。
【図３】温風暖房装置の機能ブロック図である。
【図４】運転操作受付部を示す図である。
【図５】スマートフォンの機能ブロック図である。
【図６】温風暖房装置の全体斜視図である。
【図７】スマートフォンの初期設定画面を示す図である。
【図８】スマートフォンのペアリング設定用表示画面を示す図である。
【図９】スマートフォンのペアリング設定後の表示画面を示す図である。
【図１０】暖房運転中の運転操作受付部を示す図である。
【図１１】暖房運転中のスマートフォンの表示画面を示す図である。
【図１２】第１低下処理を実行した後の運転操作受付部を示す図である。
【図１３】第２低下処理を実行した後の運転操作受付部を示す図である。
【図１４】第１低下処理を実行した後のスマートフォンの表示画面を示す図である。
【図１５】通信処理の動作を示すフローチャートである。
【図１６】スマートフォンの時間変更設定時の表示画面を示す図である。
【図１７】別実施形態の温風暖房装置の全体斜視図である。
【発明を実施するための形態】
【００３０】
以下、図面を参照して本発明に係る暖房装置の一例としての温風暖房装置の実施形態について説明する。
【００３１】
図１は温風暖房装置１の主要な構成部品の配置状態を示す正面図であり、図２は温風暖房装置１を側部から見た断面図である。温風暖房装置１は、空気を吸い込む吸込口２及び空気を吹き出す吹出口３を有する筐体４の内部に、燃料を燃焼する燃焼器５（本発明の「燃焼手段」の一例）と、燃焼器５に供給する燃料量を調節する燃料量調節手段Ｆと、吸込口２を介した筐体４内への空気の吸気と吹出口３を介した筐体４内からの空気の吹き出しとを行うように空気を流動させる対流用ファン６（本発明の「空気流動手段」の一例）と、動作を制御する暖房側制御手段としての暖房側制御部７と、運転に関する指示を使用者から受け付ける運転操作受付部８と、使用者が所持する予め登録された携帯通信端末（スマートフォン）９との間で無線通信により情報の送受信を行うことができる暖房側通信手段としての暖房側通信部１０とを備える。暖房側制御部７は、例えばマイクロコンピュータ等の演算処理機能及び例えば半導体メモリなどの情報記憶機能を有する電気回路部を用いて構成される装置である。
【００３２】
この温風暖房装置１は、吸込口２から筐体４内に吸い込んだ空気を燃焼器５の燃焼排ガスと混合させることで空気の昇温を行って、昇温した空気を吹出口３から吹き出すことにより、暖房対象空間を暖房することができる。
【００３３】
このように、温風暖房装置１の筐体４には、背面に外気を燃焼用空気Ａとして取り入れる吸込口２が設けられていると共に、前面に燃焼後の燃焼排ガスと空気との混合ガスを温風として吹き出す吹出口３が設けられている。吸込口２の外側には、塵埃を捕捉するためのエアフィルタ１１が設定されている。また、吸込口２から筐体４内に吸い込む空気の温度を測定する室内温度センサ１２が備えられている。
【００３４】
燃焼器５は、燃料ガスＧを燃焼用空気Ａと共に燃焼させる。具体的には、燃焼器５には、燃料ガスＧを導く燃料ガス流路１３が連通接続されており、その燃料ガス流路１３には、燃料ガスＧの流通を止める又は許容する第１電磁弁１４ａ及び第２電磁弁１４ｂと、燃料ガスＧの流量を調整可能な比例弁１５と、燃料ガスＧを燃焼器５に向けて噴射する噴射ノズル１３Ａとが設けられている。このうち、第１電磁弁１４ａ、第２電磁弁１４ｂ及び比例弁１５が、燃焼器５に供給する燃料量を調節する燃料量調節手段Ｆとして機能する。二つの電磁弁（第１電磁弁１４ａ及び第２電磁弁１４ｂ）が設けられている理由は、燃料ガスＧが燃料ガス流路１３の下流側へ漏出することを、より確実に防止するためである。加えて、燃焼器５は、その燃焼室１６に導かれた燃料ガスＧと燃焼用空気Ａとの混合気に点火する点火器１７と、形成された火炎を検出して火炎の立ち消えを検知可能な火炎センサ１８とを備えている。
【００３５】
本発明の空気流動手段としての対流用ファン６は、クロスフローファン１９と、クロスフローファン１９を周方向に回転させるファン駆動用モータ２０とから構成されている。ファン駆動用モータ２０が、クロスフローファン１９を回転させることにより、吸込口２から筐体４の内部へと外気が取り入れられる。そして、筐体４の内部に吸い込まれた空気の一部は、燃焼用空気Ａとして燃焼器５の燃焼室１６へ導かれ、残りの空気は燃焼室１６を迂回して流れながら燃焼器５の燃焼排ガスと混合される。これにより、吸込口２から筐体４の内部に吸い込まれた空気が昇温されて、吹出口３から筐体４の外部へと吹き出される。
【００３６】
運転操作受付部８は、筐体４の天面に設けられ、運転に関する指示を使用者から受け付ける。図４に示すように、運転操作受付部８は、使用者等により操作させる操作スイッチとして、運転の停止を予約するおやすみタイマースイッチＳ１と、運転の開始を予約するおはようタイマースイッチＳ２と、燃料消費量を相対的に少なくするエコ運転を指令するエコ運転スイッチＳ３と、スマートフォン９との間での通信を実行するための通信スイッチＳ４と、温度／時間設定スイッチ（設定値切替スイッチ）Ｓ５（上方向スイッチＳ５ａ、下方向スイッチＳ５ｂ）と、運転の開始及び停止を指令する運転／停止スイッチＳ６と、を有する。加えて、運転操作受付部８は、温風暖房装置１の状態を示す表示部として、おやすみタイマーの設定中に点灯されるおやすみタイマーランプ２１と、おはようタイマーの設定中に点灯されるおはようタイマーランプ２２と、エコ運転の実行中に点灯されるエコ運転ランプ２３と、通信状態であることを示す通信ランプ２４と、運転が行われているときに点灯される運転状態表示ランプ２５と、目標温度としての設定目標温度等を表示する設定室温表示部２６と、現在室温等を表示する現在室温表示部２７とを有する。設定室温表示部２６と現在室温表示部２７とは、タイマー運転時に時間を表示することもできる。筐体４の前面側には、暖房対象空間に人が存在するか否かを検出する存否検出手段としての人感センサ４０が備えられている。この人感センサ４０は赤外線や超音波等を用いて人の存否を判別する。
【００３７】
図３に示すように、上記した各スイッチＳ１〜Ｓ６、各表示用ランプ２１〜２５、温度用表示部２６，２７、第１電磁弁１４ａ、第２電磁弁１４ｂ、比例弁１５、暖房側通信部１０、室内温度センサ１２、ファン駆動用モータ２０、点火器１７等が暖房側制御部７に接続されている。
【００３８】
そして、暖房側制御部７は、室内温度センサ１２が測定する空気の温度が設定目標温度となるように、室内温度センサ１２が測定する空気の温度と設定目標温度との温度差に基づいて、燃焼器５に供給する目標供給燃料量を決定し、その目標供給燃料量を燃焼器５へ供給させる。暖房側制御部７は、燃焼器５への供給燃料量に応じた空気を燃焼器５に供給するべく、対流用ファン６の運転状態を制御する。
【００３９】
暖房側制御部７が暖房運転を行うときの上記設定目標温度は、使用者が温度／時間設定スイッチＳ５を操作して設定することができる。使用者が上方向スイッチＳ５ａを押し操作する毎にその温度の表示値が順次増加変更され、下方向スイッチＳ５ｂを押し操作する毎にその温度の表示値が順次減少変更される。温風暖房装置１が設置されている部屋全体の空気の温度を所定の目標温度にさせることができる。
【００４０】
温風暖房装置１は、使用者が所持するスマートフォン９との間で種々の情報を通信することができる。図５に示すように、スマートフォン９は、温風暖房装置１との間で情報の送受信を行うことができる機器側通信手段としての端末側通信部２８と、情報を表示する機器側表示手段としてのタッチパネル式の液晶表示装置からなる端末側表示部２９と、動作を制御する機器側制御手段としての端末側制御部３０とを有する。端末側制御部３０は、例えばマイクロコンピュータ等の演算処理機能及び例えば半導体メモリなどの情報記憶機能を有する電気回路部を用いて構成され、この端末側制御部３０には、後述するような処理を実行するためのアプリケーションプログラムが予めインストールされる。尚、スマートフォン９へのアプリケーションプログラムのダウンロードは、例えば、アプリケーション提供ホームページからインターネット経由で行うことができる。
【００４１】
スマートフォン９の端末側通信部２８と温風暖房装置１の暖房側通信部１０とは、近距離無線通信規格の１つであるブルートゥース（Ｂｌｕｅｔｏｏｔｈ）（登録商標）型式で通信する構成となっている（図６参照）。
【００４２】
温風暖房装置１とスマートフォン９との間での通信の初期設定について説明する。通信に先立って、使用者は、端末側制御部３０に専用のアプリケーションプログラムをインストールしておく必要がある。
【００４３】
先ず、最初に、スマートフォン９のアプリケーションプログラムを起動させる。次に、スマートフォン９の端末側通信部２８と温風暖房装置１の暖房側通信部１０との間での通信開始処理（ペアリング）を実行する。つまり、温風暖房装置１側の通信スイッチＳ４の押し操作を継続して、通信ランプ２４が点滅表示になると、押し操作を停止する。この状態では、暖房側通信部１０がペアリングする相手を探索する。
【００４４】
スマートフォン９側で、図７に示す初期画面にて端末側表示部２９の「設定」のタッチ操作部２９ａを選択すると、図８に示すようなペアリング設定用画面に切り換わる。「ペアリング」のタッチ操作部２９ｂを選択すると、ペアリングを開始する。このとき、ペアリングの相手として温風暖房装置１を選択する。尚、パスキー（ＰＩＮコード）は自動的に入力される。
【００４５】
ペアリングが完了すると、通信ランプ２４が点滅状態から連続点灯状態に切り換わり、温風暖房装置１についての基本情報、すなわち、機種名、使用ガス種の情報等をスマートフォン９に送信する（図９参照）。ペアリングが完了すると、その後は、暖房側通信部１０と端末側通信部２８とが共に作動していれば、それらが一定距離以内に近づくと、自動的に通信接続状態となる。
【００４６】
温風暖房装置１は、消し忘れ見守り運転を実行することができるようになっている。具体的には、消し忘れ見守り運転を実行しているときは、温風暖房装置１の暖房側制御部７は、スマートフォン９から情報を受信しない状態が第１設定期間としての第１設定時間継続すると、設定目標温度を使用者が設定している使用者設定温度よりも低い第１温度に低下させる第１低下処理を実行し、スマートフォン９から情報を受信しない状態が第１設定時間よりも長い第２設定期間としての第２設定時間継続すると、燃焼器５の加熱作動を停止させる第２低下処理を実行する。消し忘れ見守り運転を実行する状態が低下処理実行モードに対応する。
【００４７】
以下、温風暖房装置１とスマートフォン９との間での通信処理について具体的に説明する。
暖房側通信部１０と端末側通信部２８とが通信接続状態になると、スマートフォン９の端末側制御部３０は、設定単位時間（例えば、１秒間）が経過する毎に、温風暖房装置１に向けて運転状況データの取得を要求する取得要求通信を送信する。又、そのとき、消し忘れ見守り運転が指令されているか否かについての情報、及び、消し忘れ見守り運転における第１設定期間や第２設定期間の情報も送信する。
【００４８】
図１５に、暖房側制御部７の通信処理におけるフローチャートを示している。
暖房側制御部７は、暖房運転していないときに、スマートフォン９側から運転指令があれば、暖房運転を開始する（ステップ１，２，３）。暖房運転を実行しているときに、スマートフォン９から取得要求通信を受信すると、そのときの運転状況データをスマートフォン９に送信する（ステップ４，５）。スマートフォン９は、図１１に示すように、送信された運転状況データを端末側表示部２９に表示する。運転状況データとは、現在温度、設定目標温度、エコ運転やタイマー運転の入切状態等である。このときの運転操作受付部８の動作状態を図１０に示している。
【００４９】
そして、暖房側制御部７は、スマートフォン９から取得要求通信を受信しない場合、スマートフォン９にて消し忘れ見守り運転が指令されており、しかも、人感センサ４０にて人の存在が検出されていなければ（ステップ４，１０，１１）、タイマーカウントを開始する（ステップ１２）。タイマーカウントを開始してから第１設定時間（例えば、１５分間）が経過しても、スマートフォン９からの取得要求通信を受信しなければ、そのときの設定目標温度を記憶しておき、暖房運転では通常使用しない低温度（例えば、１０°Ｃ以下の温度）（第１温度に対応する）に変更する（ステップ１３，１４，１５）。この処理が第１低下処理に対応する。
【００５０】
暖房側制御部７がタイマーカウントを開始してから第１設定時間が経過するまでの間は、図１４に示すように、スマートフォン９の端末側表示部２９の「運転状態」の表示欄２９ｃを「待機中」という表示に切り換える。つまり、スマートフォン９側では、温風暖房装置１側からの運転状況データの取得ができなくなると、端末側制御部３０は端末表示部２９の表示内容を上述の如く切り換える。
【００５１】
暖房側制御部７が第１低下処理を実行すると、図１２に示すように、設定室温表示部２６の表示を低温状態を示す「Ｌ」に切り換えるとともに、スマートフォン９の端末側表示部２９の「運転状態」の表示欄２９ｃを「弱運転切替」という表示に切り換える。つまり、スマートフォン９側では、温風暖房装置１側からの信号が受信できないときに、第１設定時間以上経過して運転状況データの取得できなければ、端末側制御部３０は端末表示部２９の表示内容を上述の如く切り換える。
【００５２】
さらに、タイマーカウントを開始してから第２設定時間（例えば、６０分間）が経過しても、スマートフォン９からの取得要求通信を受信しなければ、第１電磁弁１４ａ及び第２電磁弁１４ｂを閉状態に切り換えて燃焼器５による燃焼作動つまり暖房運転を停止させる（ステップ１６，１７）。この処理が第２低下処理に対応する。
【００５３】
暖房側制御部７が第２低下処理を実行すると、図１３に示すように、設定室温表示部２６の表示を消灯するとともに、現在室温表示部２７の表示を「０１」に変更し、且つ、それを点滅させて、使用者にそのことを報知する。このとき、通信ランプ２４と運転状態表示ランプ２５と夫々、点滅表示する。スマートフォン９側では、図示はしていないが、「運転状態」の表示欄を「自動停止」という表示に切り換える。つまり、スマートフォン９側では、温風暖房装置１側からの信号が受信できないときに、第２設定時間以上経過して運転状況データの取得できなければ、端末側制御部３０は端末表示部２９の表示内容を上述の如く切り換える。
【００５４】
暖房側制御部７は、第１低下処理を実行した後、第２低下処理を実行するまでの間に、スマートフォン９から取得要求通信を受信すると、設定目標温度を使用者設定温度に戻す復帰処理を実行するようになっている。
【００５５】
すなわち、暖房側制御部７は、暖房運転を実行しているときに、スマートフォン９から取得要求通信を受信すると、そのとき、タイマーカウントしていれば、そのカウントをリセットするとともに、設定目標温度を第１温度から元の設定目標温度に戻す（ステップ６，７）。この処理が復帰処理に対応する。復帰処理が行われると、スマートフォン９側でも、「運転状態」の表示欄２９ｃを「正常運転」という表示に切り換える。つまり、スマートフォン９の端末側通信部２８が温風暖房装置１側からの信号受信が再開されたことを検出すると、端末側制御部３０は端末表示部２９の表示内容を上述の如く切り換える。
【００５６】
スマートフォン９からの運転設定の変更指令があれば、その内容に対応した設定変更を行う（ステップ８）。この変更指令としては、第１設定時間の長さの変更、第２設定時間の長さの変更がある。又、それ以外にも、暖房運転の入切の指令、消し忘れ見守り運転の入切の指令等がある。
【００５７】
第１設定時間の長さの変更と第２設定時間の長さの変更について説明すると、変更するときは、スマートフォン９の画面を図９に示す設定画面に切り換えて、「消し忘れ見守り」のタッチ操作部２９ｄを操作すると、図１６に示すような設定画面が表示される。「弱運転切替」のタッチ操作部２９ｅを操作して第１設定時間を変更することができ、「運転停止」のタッチ操作部２９ｆを操作して第２設定時間を変更することができる。そして、「決定」のタッチ操作部２９ｇを操作して変更を確定する。
【００５８】
消し忘れ見守り運転の入切の指令について説明する。
スマートフォン９を所持している使用者が、消し忘れ見守り運転の「切」（ＯＦＦ）を指令していると、その情報が温風暖房装置１側に送信され、暖房側制御部７は、上記した通信処理のステップ１０において、消し忘れ見守り運転が指令されていないと判断して、ステップ１１〜１７の処理を実行しない。この状態が低下処理停止モードに対応する。
【００５９】
従って、例えば、人感センサ４０を備えていない場合や、人感センサ４０が故障しているような場合であっても、暖房対象空間にスマートフォン９を所持していない使用者だけが残っても所望の暖房運転を継続することができる。
【００６０】
アプリケーションプログラムが終了するまで、上述したような通信処理を実行し、アプリケーションプログラムが終了すると、通信処理を終了する（ステップ９）。
【００６１】
〔別実施形態〕
（１）上記実施形態では、使用者が所持するスマートフォン９が１台である場合を示したが、スマートフォンが複数備えられるものでもよい。
【００６２】
例えば、図１７に示すように、暖房側通信部１０との間で通信可能なスマートフォン９が複数（図１７に示す例では３台）備えられる。各スマートフォン９と暖房側通信部１０との間の基本的な通信接続の構成は上記実施形態と同じであるが、暖房側通信部１０が３台のスマートフォン９との間で情報の送受信を行っているとき、暖房側制御部７は、暖房側通信部１０が全てのスマートフォン９から情報を受信しない状態が第１設定時間継続すると第１低下処理を実行し、暖房側通信部１０が全てのスマートフォン９から情報を受信しない状態が第２設定時間継続すると第２低下処理を実行する点で構成が異なる。
【００６３】
そして、この実施形態では、暖房側制御部７は、前記第１低下処理を実行した後、前記第２低下処理を実行するまでの間に、暖房側通信部１０が少なくとも１台のスマートフォン９から情報を受信すると、設定目標温度を使用者設定温度（元の設定目標温度）に戻す復帰処理を実行するように構成されている。
【００６４】
従って、この実施形態では、３台のスマートフォン９のうち、２台のスマートフォン９が温風暖房装置１から離間して通信が途絶えても、１台のスマートフォン９が通信状態を継続していれば、第１低下処理及び第２低下処理を実行せず、通常の暖房運転を継続して実行する。
【００６５】
（２）上記実施形態では、第１低下処理として、設定目標温度を暖房運転では通常使用しない第１温度（例えば、１０°Ｃ以下の温度）に変更し、第２低下処理として燃焼器の加熱動作を停止させる構成としたが、この構成に代えて、第１低下処理として、使用者が設定した設定目標温度よりも設定量だけ低いが暖房機能を有する程度の温度に変更し、第２低下処理として、設定目標温度を暖房運転では通常使用しない第１温度（例えば、１０°Ｃ以下の温度）に変更するようにしてもよい。又、第２低下処理として、１段階だけの低下ではなく、複数回にわたって繰り返し設定目標温度を低下させるようにしてもよい。
【００６８】
（３）上記実施形態では、暖房装置としてガス燃焼式の暖房装置を示したが、石油を燃焼して暖房する暖房装置や電気式の加熱手段を備えた暖房装置でもよい。
【００６９】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００７０】
本発明は、加熱手段で加熱した空気を暖房対象空間へ吹き出して暖房対象空間の暖房を行う暖房装置に適用できる。
【符号の説明】
【００７１】
５        燃焼器（加熱手段）
６        対流用ファン（空気流動手段）
７        暖房側制御部（暖房側制御手段）
９        スマートフォン（携帯通信端末）
１０      暖房側通信部（暖房側通信手段）
４０      人感センサ（存否検出手段）
【図１】
0006738618.tif 000002
【図２】
0006738618.tif 000003
【図３】
0006738618.tif 000004
【図４】
0006738618.tif 000005
【図５】
0006738618.tif 000006
【図６】
0006738618.tif 000007
【図７】
0006738618.tif 000008
【図８】
0006738618.tif 000009
【図９】
0006738618.tif 000010
【図１０】
0006738618.tif 000011
【図１１】
0006738618.tif 000012
【図１２】
0006738618.tif 000013
【図１３】
0006738618.tif 000014
【図１４】
0006738618.tif 000015
【図１５】
0006738618.tif 000016
【図１６】
0006738618.tif 000017
【図１７】
0006738618.tif 000018